(57)【要約】【課題】使用者が従来の蛍光灯と同じ手順で取り付け作業が安全に行える感電防止蛍光灯を提供する。【解決手段】本発明の感電防止蛍光灯は本体及び２つの口金を備える。前記本体は発光モジュールを備える。前記口金は第一接続端子、第一安全スイッチ、弾性導電ユニット及び第二接続端子を備え、前記口金はそれぞれ前記本体の両側に設置される。前記感電防止蛍光灯を取り付ける際、どちらかの前記安全スイッチが圧迫力を受けた場合、前記安全スイッチは対応する弾性導電ユニットを変形させ、前記弾性導電ユニット及び対応する第二接続端子が電気的に接続される。これによって、第一接続端子及び第二接続端子が導通する。前記安全スイッチにかかる前記圧迫力を開放した場合、変形した前記弾性導電ユニットは前記圧迫力と逆の方向に前記安全スイッチを押し、前記第一接続端子及び前記第二接続端子は断線状態となる。【選択図】図２
2012195271.tif 000002
【特許請求の範囲】
【請求項１】
蛍光灯ソケットに使用できる感電防止蛍光灯であって、
発光モジュールを備える本体と、
前記本体の両端に設置される２つの口金と、
その一部が前記口金内に収まっており、他の部分が前記口金外に設置されており、前記蛍光灯ソケットに接続するのに使用される第一接続端子と、
その一部が前記口金内に収まっており、他の部分が前記口金外に設置されている安全スイッチと、
前記第一接続端子と電気的に接続される弾性導電ユニットと、
前記発光モジュールと電気的に接続される第二接続端子と、
を備え、前記口金のいずれかの前記安全スイッチが押されていない状態では、対応する前記弾性導電ユニットが対応する前記第二接続端子と電気的に接続されず、前記第一接続端子及び前記第二接続端子が断線状態であり、
前記口金のいずれかの前記安全スイッチが前記蛍光灯ソケットに嵌合される場合、対応する前記安全スイッチが前記蛍光灯ソケットと接触し、圧迫力を受けた際、前記安全スイッチは対応する弾性導電ユニットを押し、前記弾性導電ユニット及び対応する第二接続端子が電気的に接続され、前記第一接続端子及び前記第二接続端子が導通することを特徴とする感電防止蛍光灯。
【請求項２】
前記発光モジュールは発光ダイオード発光モジュール、有機発光ダイオード発光モジュール或いはエレクトロルミネッセンス発光モジュールであることを特徴とする請求項１に記載の感電防止蛍光灯。
【請求項３】
前記第一接続端子は２つの端子を備えることを特徴とする請求項１に記載の感電防止蛍光灯。
【請求項４】
前記弾性導電ユニットの形状は半円形であることを特徴とする請求項１に記載の感電防止蛍光灯。
【請求項５】
前記弾性導電ユニットの材質は弾性を有する銅片であることを特徴とする請求項４に記載の感電防止蛍光灯。
【請求項６】
前記安全スイッチは前記弾性導電ユニットに隣接して設置され、前記第二接続端子は前記安全スイッチに対応するように前記惰性導電ユニットと隣接せずに設置されることを特徴とする請求項４に記載の感電防止蛍光灯。
【請求項７】
前記安全スイッチの形状はＨ型であることを特徴とする請求項１に記載の感電防止蛍光灯。
【発明の詳細な説明】
【技術分野】
【０００１】
本発明は、感電防止蛍光灯に関し、より詳しくは、安全スイッチにより取り付け時に使用者が感電する虞のない感電防止蛍光灯に関する。
【背景技術】
【０００２】
従来の蛍光灯は広い範囲に光を当てることが可能であるが、消費電力が大きく寿命が短いことが欠点であった。近年では発光ダイオード、有機発光ダイオードやエレクトロルミネッセンス等を使用した蛍光灯が普及し始めている。これらの蛍光灯は寿命が長く、消費電力が少なく、熱量も少ないというメリットがある。これらの蛍光灯は従来の蛍光灯ソケットの規格に合わせるために、その両端に複数の接続端子が備えられる。前記接続端子を前記蛍光灯ソケットに差し込むことで電気的に接続され、蛍光灯に必要な電力が供給される。
【０００３】
蛍光灯を取り付ける際、図１に示すように、蛍光灯の片方の接続端子を蛍光灯ソケットに差し込んだ状態において、使用者が素手で他方の接続端子に触れた際、ショートしてしまう虞がある。
【発明の概要】
【発明が解決しようとする課題】
【０００４】
そこで本発明は、使用者が従来の蛍光灯と同じ手順で取り付け作業が安全に行える感電防止蛍光灯の提供を目的とする。
【０００５】
本発明は更に、従来の蛍光灯ソケットの規格を変更せずに使用できる感電防止蛍光灯の提供を目的とする。
【０００６】
本発明は更に、コストの低いスイッチ機構により、安全度の高い蛍光灯の提供を目的とする。
【０００７】
本発明は更に、両端に安全スイッチを備え、前記安全スイッチが同時に押された際に通電することで、蛍光灯の取り付け時に、片方が蛍光灯ソケットに差し込まれていても、他方にある前記安全スイッチが押されていないために導通せず、使用者が差し込まれていないほうの接続端子に触れても感電する恐れがなく、安全度の高い蛍光灯の提供を目的とする。
【課題を解決するための手段】
【０００８】
上述の目的を達成するために、本発明は従来の蛍光灯ソケットに使用できる感電防止蛍光灯を提供する。本発明の感電防止蛍光灯は本体及び２つの口金を備える。前記本体は発光モジュールを備える。前記口金は第一接続端子、第一安全スイッチ、弾性導電ユニット及び第二接続端子を備え、前記口金はそれぞれ前記本体の両側に設置される。前記第一接続端子はその一部が前記口金内に収まっており、他の部分が前記口金外に設置されており、蛍光灯ソケットに接続するのに使用される。前記安全スイッチはその一部が前記口金内に収まっており、他の部分が前記口金外に設置されている。前記弾性導電ユニットは前記第一接続端子と電気的に接続されている。前記第二接続端子は前記発光モジュールと電気的に接続されている。前記感電防止蛍光灯はいずれかの前記安全スイッチが押されていない状態では、前記弾性導電ユニットが前記第二接続端子と電気的に接続されず、前記第一接続端子及び前記第二接続端子は断線状態である。前記感電防止蛍光灯を取り付ける際、どちらかの前記安全スイッチが圧迫力を受けた場合、前記安全スイッチは対応する弾性導電ユニットを変形させ、前記弾性導電ユニット及び対応する第二接続端子が電気的に接続される。これによって、第一接続端子及び第二接続端子が導通する。前記安全スイッチにかかる前記圧迫力を開放した場合、変形した前記弾性導電ユニットは前記圧迫力と逆の方向に前記安全スイッチを押し、前記第一接続端子及び前記第二接続端子は断線状態となる。
【発明の効果】
【０００９】
従来の技術と比べ、本発明の感電防止蛍光灯は使用者が取り付けを行う際、前記感電防止蛍光灯は前記安全スイッチ及び前記弾性導電ユニットにより任意に前記本体へ電気的に接続することで、前記感電防止蛍光灯を蛍光灯ソケットへ取り付ける際に使用者が感電することを防止し、蛍光灯取り付けの際の安全性を高める。前記感電防止蛍光灯を前記蛍光灯ソケットへ取り付ける際に、前記感電防止蛍光灯の両端の口金にある前記安全スイッチを同時に前記蛍光灯ソケットへ取り付けることで、前記感電防止蛍光灯及び前記蛍光灯ソケットが導通する。
【図面の簡単な説明】
【００１０】
【図１】従来の蛍光灯取り付けの際に感電する可能性があることを示す説明図である。
【図２】本発明の感電防止蛍光灯の実施例１を示す説明図である。
【図３】本発明の感電防止蛍光灯の実施例２を示す説明図である。
【図４】図３の口金内部の動作を示す説明図である。
【図５】照明器具本体を示す説明図である。
【図６】本発明の感電防止蛍光灯及び蛍光灯ソケットの取り付け前を示す説明図である。
【図７】本発明の感電防止蛍光灯及び蛍光灯ソケットの取り付け後を示す説明図である。
【図８】図３の口金内部の動作を示す説明図である。
【発明を実施するための形態】
【００１１】
以下、本発明の実施例を図面に基づいて説明する。 
【実施例１】
【００１２】
図２は本発明の感電防止蛍光灯の実施例１を示す説明図である。図３は本発明の感電防止蛍光灯の実施例２を示す説明図である。図４は図３の口金内部の動作を示す説明図である。感電防止蛍光灯２は本体４及び口金６を備える。本体４は発光モジュールを備える。前記発光モジュールは発光ダイオード発光モジュール、有機発光ダイオード発光モジュール、エレクトロルミネッセンス発光モジュール等である。口金６は第一接続端子６２及び安全スイッチ６４を備え、本体４の両端に設けられる。第一接続端子６２は１つ或いは複数の端子（図２に図示する）を備える。前記端子は２つあることが好ましい（図３に図示する）。図４に示すように、口金６は更に第一接続端子６２、安全スイッチ６４、弾性導電ユニット６６及び第二接続端子６８を備える。
【００１３】
第一接続端子６２はその一部が口金６に収まっており、外部電源ＰＷと接続されている。
【００１４】
安全スイッチ６４はその一部が口金６に収まっており、直接或いは間接的に弾性導電ユニット６６と接触する。安全スイッチ６４の材料は非導電材料である。安全スイッチの形状はＴ字型等である。本実施例ではＨ字型としたが、これは本発明の範囲を限定しない。
【００１５】
弾性導電ユニット６６は弾性を持つ銅で製造され、半円形であり、第一接続端子６２と接続されている。安全スイッチ６４は弾性導電ユニット６４に隣接して設置される。
【００１６】
第二接続端子６８は前記発光モジュールと電気的に接続されている。弾性導電ユニット６６及び第二接続端子６８が導通することで第一接続端子６２及び第二接続端子６８が導通し、それによって前記発光モジュールは外部電源ＰＷと導通する。第二接続端子６８は安全スイッチ６４に対応するように弾性導電ユニット６６と隣接せずに設置される。
【００１７】
図５は照明器具本体を示す説明図である。感電防止蛍光灯２は照明器具８に取り付けられる。照明器具８は感電防止蛍光灯２の第一接続端子に対応する複数の蛍光灯ソケット８２を備える。蛍光灯ソケット８２は電源ＰＷを提供する。蛍光灯ソケット８２は第一接続端子６２を収納する。
【００１８】
図６は本発明の感電防止蛍光灯及び蛍光灯ソケットの取り付け前を示す説明図である。図７は本発明の感電防止蛍光灯及び蛍光灯ソケットの取り付け後を示す説明図である。図８は図３の口金内部の動作を示す説明図である。照明器具２に感電防止蛍光灯２を取り付ける際、安全スイッチ６４は圧迫力Ｆを受け、弾性導電ユニット６６を押さえ変形させる。変形前の状態を図４に、変形後の状態を図８に示す。第一接続端子６２は弾性導電ユニット６６により第二接続端子６８と電気的に接続される。第二接続端子６８は感電防止蛍光灯２の本体４と電気的に接続される。感電防止蛍光灯２の口金６が２つ同時に照明器具本体８の蛍光灯ソケット８２に嵌合された際、各安全スイッチ６４は照明器具本体８と接触し圧迫力Ｆを受ける。そして安全スイッチ６４は圧迫力Ｆに押されることで対応する弾性導電ユニット６６を押さえる。そして弾性導電ユニット６６は対応する第二接続端子６８と電気的に接続される。更に第一接続端子６２及び第二接続端子６８が導通することで、本体４が導通する。逆に、安全スイッチ６４にかかる圧迫力Ｆが解除された際、変形した弾性導電ユニット６６は圧迫力Ｆとは逆の方向に生まれる反作用力Ｆ’を生み、反作用力Ｆ’により安全スイッチ６４は押し戻され、断線状態となる。
【００１９】
このように、感電防止蛍光灯２を照明器具本体８に取り付ける過程において、感電防止蛍光灯２の任意の一端の第一接続端子６２を照明器具本体８の蛍光灯ソケット８２に嵌合させることで、同端にある安全スイッチ６４が圧迫力Ｆにより押され、安全スイッチ６４が弾性導電ユニット６６を押しこむことで第一接続端子６２及び第二接続端子６８が導通する。しかし、他端の第一接続端子６２及び第二接続端子６８は導通していないため、使用者が第一接続端子６２に触れても感電する虞がない。感電防止蛍光灯２の一端が取り付けられた後、他端の第一接続端子６２を照明器具本体８の蛍光灯ソケット８２に取り付ける際、蛍光灯ソケット８２及び第一接続端子６２の間の隙間がごくわずかであるため、使用者が感電する虞はない。
【００２０】
従来の技術と比べ、本発明の感電防止蛍光灯は使用者が取り付けを行う際、前記感電防止蛍光灯は前記安全スイッチ及び前記弾性導電ユニットにより任意に前記本体へ電気的に接続することで、前記感電防止蛍光灯を蛍光灯ソケットへ取り付ける際に使用者が感電することを防止し、蛍光灯取り付けの際の安全性を高める。前記感電防止蛍光灯を前記蛍光灯ソケットへ取り付ける際に、前記感電防止蛍光灯の両端の口金にある前記安全スイッチを同時に前記蛍光灯ソケットへ取り付けることで、前記感電防止蛍光灯及び前記蛍光灯ソケットが導通する。
【００２１】
上述において、本発明の説明の利便性のために最良の実施例を挙げて説明したが、これらの実施例は本発明の請求の範囲を限定するものではなく、本発明に基づく本発明の要旨を逸脱しないあらゆる変更は全て本発明の特許請求の範囲に含まれる。
【符号の説明】
【００２２】
２    感電防止蛍光灯
４    蛍光灯本体
６    口金
６２    第一接続端子
６４    安全スイッチ
６６    弾性導電ユニット
６８    第二接続端子
８    照明器具本体
８２    蛍光灯ソケット
ＰＷ    外部電源
Ｆ    圧迫力
Ｆ’    反作用力
【図１】
2012195271.tif 000003
【図２】
2012195271.tif 000004
【図３】
2012195271.tif 000005
【図４】
2012195271.tif 000006
【図５】
2012195271.tif 000007
【図６】
2012195271.tif 000008
【図７】
2012195271.tif 000009
【図８】
2012195271.tif 000010